(57)【特許請求の範囲】
【請求項１】
データ伝送媒体を用いて、音データが、送信システムにより伝送され、これを受信して再生手段により再生または出力を行う受信システムにおいて、
デジタルの音データを構成する各個別データを所定間隔毎に抜き出した順番の各個別データが順次伝送されてくるものであって、伝送されてきた各個別データを順次入力し、入力した当該個別データを、入力される順番情報に従って当該音データを構成する正規の順番に対応させて一時記憶させる入力データ処理手段と、
伝送される前記個別データの入力状況に応じて一時記憶された当該個別データを管理して、総ての個別データが入力されたときには総ての個別データについて前記再生手段に出力するが、当該個別データの入力途中で再生要求があった場合には、前記一時記憶されていた当該個別データを所定の記憶領域に記憶し、当該個別データ間の未だ伝送されてきていない抜けた部分にデータを補間して前記再生手段に出力する再生データ管理手段と、
を有することを特徴とする音データ受信システム。
【請求項２】
音データが、データ伝送媒体を用いて伝送され、受信側で受信して再生または出力を行う音データの受信方法において、
デジタルの音データを構成する各個別データを所定間隔毎に抜き出した順番の各個別データが順次伝送されてくるものであって、伝送されてきた各個別データを順次入力するステップと、
入力した当該個別データを、入力される順番情報に従って当該音データを構成する正規の順番に対応させて一時記憶させるステップと、
伝送される前記個別データの入力状況に応じて一時記憶された当該個別データを管理して、総ての個別データが入力されたときには総ての個別データについて前記再生手段に出力するが、当該個別データの入力途中で再生要求があった場合には、前記一時記憶されていた当該個別データを所定の記憶領域に記憶し、当該個別データ間の未だ伝送されてきていない抜けた部分にデータを補間して再生又は出力するステップと、
を含むことを特徴とする音データ送受信方法。
【発明の詳細な説明】
【０００１】
【発明の属する技術分野】
本発明は、データ伝送媒体音データが伝送され、これを受信して再生又は出力する音データ受信システム及び受信方法に関する。
【０００２】
【従来の技術】
近年、ネットワーク技術の向上から、インターネット、ＬＡＮ（Ｌｏｃａｌ  Ａｒｅａ  Ｎｅｔｗｏｒｋ）、ＷＡＮ（ＷＩＤＥ  Ａｒｅａ  Ｎｅｔｗｏｒｋ）等のコンピュータネットワークの構築が盛んになってきているが、特に公衆電話回線を利用する場合のように十分な伝送速度が期待できない場合、文字等の情報に比べて情報量の多い音声等の音データを伝送するには相応の時間を要する。従って、音データを一般に用いられる時系列に沿った伝送する方式ではデータ伝送が完全に終了するまで全体の再生ができず、使用者の心理的負担となることから、これを軽減するためのインタフェースが必要となる。
【０００３】
そこで、図８に、従来の音データ送受信の説明図を示す。ここで、音データとは、音声、音楽、各種の音（自然音を含む）を含むものとしてサウンドデータとして表現する。図８（Ａ）は、アナログのサウンドデータをデジタルのサウンドデータとするのに一般的なＰＣＭ（Ｐｕｌｓｅ  Ｃｏｄｅ  Ｍｏｄｕｌａｔｉｏｎ）処理を示したもので、アナログのサウンドデータをサンプリング周波数毎に音圧を量子化してデジタルのサウンドデータを得る。例えば、サンプリング周波数８ＫＨｚで量子化ビット数を８ビットとした場合に、当該サウンドデータの伝送ビットレートは６４ＫＨｚとなる。
【０００４】
上記のようなサウンドデータは、例えば図８（Ｂ）に示すように、ＳＤ０１〜ＳＤ２１の２１個のデータで構成するものとした場合、ネットワーク上に００〜２０の順番で時系列に伝送される。
【０００５】
一方、伝送されてきたサウンドデータＳＤ０１〜２０は、図８（Ｃ）に示すように、入力手段１０１で順次入力され、順次バッファ１０２に一時記憶される。総てのサウンドデータＳＤ０１〜ＳＤ２０が入力されてバッファ１０２に一時記憶されたときに、再生手段１０３が総てのサウンドデータＳＤ０１〜ＳＤ２０をＤ／Ａ（デジタル／アナログ）変換することによって再生するものである。
【０００６】
【発明が解決しようとする課題】
しかしながら、上述のように総てのサウンドデータＳＤ０１〜ＳＤ２０が伝送終了（入力終了）するまで再生することができず、特に公衆電話回線を利用して伝送する場合にサウンドデータのような情報量の多いデータは相応の伝送時間を要して利用者の心理的負担を増大させるという問題がある。
【０００７】
一方、音声や動画像等のデータを伝送する場合に、入力中に再生可能とするいわゆるストリーミング技術がある。このストリーミング技術は伝送が終了しない間に先頭から再生あるいは表示を開始できるもので、見かけ上実時間処理を可能とするものである。しかしながら、このようなストリーミング技術においても再生は入力した分だけのデータであり、全データ分の再生を行う場合には上記同様に総てのデータが入力完了するまで行うことができず、伝送時間が再生時間に比べて非常に大きな場合、結局伝送に関する利用者の心理的負担を軽減させるには至らないという問題がある。
【０００８】
そこで、本発明は上記課題に鑑みなされたもので、音データの伝送途中でも全体としての再生を可能とし、伝送終了で正規な全体の音データとして再生可能とする音データ送受信システム及び送受信方法を提供することを目的とする。
【０００９】
【課題を解決するための手段】
上記課題を解決するために、本発明では、受信システムにおいて、デジタルの音データを構成する各個別データを所定間隔毎に抜き出した順番の各個別データが順次伝送されてきた各個別データを順次入力し、順番情報に従って上記音データを構成する正規の順番に対応させて一時記憶させ、入力途中の要求に応じて一時記憶されていた各個別データを他の記憶領域に記憶し、各個別データ間の抜けた部分にデータを補間して再生し、また総ての個別データが入力されたときに当該個別データで構成される音データを再生又は出力する構成とする。
【００１１】
このように、受信側において、総ての音データが入力されたときには完全な音データを再生又は出力させるが、入力途中でも、入力された個別データ分で音データを構成させて再生させることが可能となる。すなわち、入力終了時には完全な音データが構成されるというデータを用いて、必ずしも高品質な音が要求されない試聴や音カタログの提供等を行うことが可能となると共に、情報量の多い音データを受信する者の受信における心理的負担を軽減させることが可能となるものである。
【００１２】
【発明の実施の形態】
以下、本発明の好ましい実施形態を図により説明する。
図１に、本発明における音データ送受信システムのブロック構成図を示す。図１において、音データ送受信システム１１は、音データとしてのサウンドデータ（音声、音楽、各種の音（自然音を含む）等）を伝送する送信システム１２及び伝送されてきたサウンドデータを受信して再生又は出力する受信システム１３により構成され、この送信システム１２と受信システム１３とはコンピュータネットワーク（インターネット、ＬＡＮ、ＷＡＮ等）や無線等のデータ伝送媒体でデータの送受信を行うものである。
【００１３】
上記送信システム１２は、少なくとも、デジタルデータ作成手段であるＡ／Ｄ変換手段２１、伝送処理手段２２、伝送手段２３及び設定部２４を備える。なお、このシステム１２を運用する制御手段等の図示は省略してある。上記Ａ／Ｄ変換部２１は、入力されるアナログのサウンドデータを、例えば前述のようにＰＣＭ方式でデジタルデータに変換する。
【００１４】
伝送処理手段２２は、構成を図２で説明するが、デジタルのサウンドデータを構成する各個別データの配列を、予め設定部２４により設定された所定間隔毎に抜き出して間引き状態とし、当該抜き出し順の配列を伝送順番とする処理を行う。設定部２４による設定は、当該サウンドデータを間引き状態で伝送する場合、ある程度以下のデータ密度になると聴取が不可能であることから、品質が悪くともかろうじて聞き取れる限界を聴取実験により判定することで得ることができる。すなわち、各個別データが時系列に沿って並ぶサウンドデータに対して、上記判定した可聴限界の間引き数を初期スキップ数としてＮ＝２のべき乗個で設定することが好適であるが、必ずしもこれには限らない。本実施形態では後述のようにＮ＝２の３乗個（＝１６）で設定した場合を示す。
【００１５】
そして、伝送手段２３は、サウンドデータの各個別データを、伝送処理手段２２で処理した伝送順番でデータ伝送媒体としてもコンピュータネットワーク上に一つのファイルとして出力する。この場合のファイル形式は、受信システムにおいてファイル展開できる形式であればよく、一般的かつ汎用的なサウンドデータ形式として、ファイル操作のためのヘッダ情報等の有無を問わず、サンプリング（標本化）されたサウンドデータをそのまま線形的に配置した（例えばＷＡＶＥフォーマット等）ファイル形式を採用することができるものである。
【００１６】
上記受信システム１３は、少なくとも、入力データ処理手段３１、再生データ管理手段３２及び再生手段３３を備える。また、入力データ処理手段３１は、入力手段３４及び一時記憶管理手段３５を備え、再生データ管理手段３２は、再生制御手段３６、一時記憶手段３７及び補間手段３８を備える。なお、このシステム１３においても運用のための制御手段等の図示は省略してある。
【００１７】
上記入力データ処理手段３１は、デジタルのサウンドデータを構成する各個別データを所定間隔毎に抜き出した順番の各個別データが上記送信システム１２より順次伝送されてくるものであって、伝送されてきた各個別データを入力手段３４が順次入力し、一時記憶管理手段３５（構成を図２で説明する）が入力した当該個別データを、入力される順番情報に従って当該サウンドデータを構成する正規の順番に対応させて一時記憶させる。
【００１８】
また、再生管理手段３２は、再生制御手段３６が伝送される総ての個別データの入力状況に応じて一時記憶管理手段３５で一時記憶された当該個別データを管理するものであり、総ての個別データが入力されたときに再生手段３３に出力し、また、当該個別データの入力途中での要求信号としての再生要求信号を受けたとき、一時記憶されていた当該個別データを所定の記憶領域である一時記憶手段（バッファ）３７に記憶し、補間手段３８により当該個別データ間の抜けた部分にデータを補間して再生手段３３に出力する。
【００１９】
データの補間は、例えば、直前に入力されたデータと同じデータを割り当てる方法、前後の個別データ間の線形状態を判断して中間値を割り当てる方法等がある。そして、再生手段３３は、入力したデジタルのサウンドデータを、所定の外部機器に出力し、またはアナログのサウンドデータに変換してスピーカ等で再生（またはテーブレコーダ等に出力）する。
【００２０】
ここで、図２に、図１の伝送処理手段及び一時記憶管理手段のブロック構成図を示す。図２（Ａ）は送信システム１２の伝送処理手段２２のブロック構成図であり、図２（Ｂ）は受信システム１３の一時記憶管理手段３５のブロック構成図である。
【００２１】
図２（Ａ）に示す伝送処理手段２４は、少なくとも、データ取得部４１、ソード部４２、伝送情報付与部４３及びバッファ４４を備える。上記データ取得部４１はＡ／Ｄ変換手段２１より送られてくるデジタルのサウンドデータ（構成する総ての個別データ）を取得してソート部４２に送出する。ソート部４２は、上記設定部２４で設定された設定値（間引き間隔のステップ値）に応じて当該サウンドデータを構成する個別データの並べ替えを行う。
【００２２】
伝送情報付与部４３は、少なくとも、伝送するサウンドデータの総データ数、各個別データが間引き状態の信号であること、初期間引きステップ数に比べて何段目の伝送であるかを示すフラグ情報を、例えば伝送先頭に付す。なお、当該フラグ情報は、サウンドデータ量に比べて無視できる程度の情報量であり、伝送時間に影響を及ぼすことはない。そして、バッファ４４は、並べ換えた個々の個別データを、抜き出し順を伝送順としたアドレスで一時格納する。
【００２３】
また、図２（Ｂ）に示す一時記憶管理手段３７は、少なくとも、情報認識部５１、バッファ管理部５２及びバッファ５３を備える。情報認識部５１は、上記伝送情報付与部４３で付与されたフラグ情報を認識する。バッファ管理部５２は、認識された上記情報に応じて入力手段３４で入力した個別データの全体構成における順番に対応したメモリアドレスを管理して、バッファ５３に一時格納させるものである。
【００２４】
そこで、図３に、本発明における音データのデータ構成の説明図を示す。図３に示すサウンドデータは、例えば前述の図８に示したようにサンプリング周波数８ＫＨｚ、８ビットで量子化したものとして、個別データＳＤ０１〜ＳＤ２１で構成したものである。図３（Ａ）は、上記送信システム１２におけるＡ／Ｄ変換部２１でデジタル化したサウンドデータの個別データＳＤ０１〜ＳＤ２１が上記伝送処理手段２２（データ取得部４１）に取得され、ソート部４２において、間引き設定値として例えば１６毎に個別データＳＤ０１〜ＳＤ２１を抜き出すための順番、すなわち伝送順番が定められた場合を示している。
【００２５】
そして、図３（Ｂ）に示すように、当該ソート部４２において並べ換えられた状態が示される。この並べ換えられた個別データＳＤ０１〜ＳＤ２１が伝送順に伝送手段２３によりコンピュータネットワーク上に出力されるものである。
【００２６】
また、上記受信システム１３における入力データ処理手段２１では、図３（Ｂ）に示す伝送順の個別データＳＤ０１〜ＳＤ２１が順次入力され、一時記憶管理手段３７のバッファ５３に、図３（Ｃ）に示す実線の個別データ（ＳＤ０１〜ＳＤ２１）が、サウンドデータを構成させる正規の位置（アドレス）で一時記憶されていく。
【００２７】
図３（Ｃ）には、再生要求信号の入力時に、総個別データＳＤ０１〜ＳＤ２１のうち、１０個の個別データ（ＳＤ０１、ＳＤ０３、ＳＤ０５、ＳＤ０７、ＳＤ０９、ＳＤ１１、ＳＤ１３、ＳＤ１５、ＳＤ１７、ＳＤ２１）が入力され、バッファ５３に一時記憶された状態が示されている。逆に、破線の個別データ（ＳＤ０２、ＳＤ０４、ＳＤ０６、ＳＤ０８、ＳＤ１０、ＳＤ１２、ＳＤ１４、ＳＤ１６、ＳＤ１８、ＳＤ１９、ＳＤ２０）は、上記再生要求信号入力時に、未だ伝送されてこないデータである。
【００２８】
そして、図３（Ｄ）は、上記受信システム１３における再生データ管理手段３２の補間手段３８において、図３（Ｃ）に示す未だ伝送されてこない破線の個別データに対応した補間データＩＰ０１〜ＩＰ０９（ＩＰ０９はＳＤ１８〜ＳＤ２０に対応）が作成されて、上記再生データ管理手段３２の一時記憶手段（バッファ）３７上の対応アドレスに配置させた状態を示したものである。すなわち、図３（Ｄ）に示す状態で再生され、または出力されるものである。
【００２９】
次に、図４に、図１の送信システムの処理フローチャートを示す。図４（Ａ）は、送信システム１２の全体の処理フローチャートであり、図４（Ｂ）は当該送信システム１２の備える上記伝送処理手段２２の処理フローチャートである。図４（Ａ）において、送信システム１２は、まずＡ／Ｄ変換部２１において入力されるアナログのサウンドデータを上述のようにデジタルのサウンドデータに変換していき（ステップ（Ｓ）１）、総てのデータ変換が終了したときに（Ｓ２）、デジタルのサウンドデータを構成する各個別データＳＤ０１〜ＳＤ２１を伝送処理手段２２に送出する。
【００３０】
伝送処理手段２２では、上記設定部２４により上記個別データＳＤ０１〜ＳＤ２１を間引きする間隔の設定値が予め設定されており、送出されてきた正規順の各個別データＳＤ０１〜ＳＤ２１を当該設定値に応じて抜き出して伝送順に並べ換えるなどの処理を行い（Ｓ３）、伝送手段２３に送出する（図４（Ｂ）で説明する）。伝送手段２３は、送られてきた伝送順の各個別データＳＤ０１〜ＳＤ２１を順次コンピュータネットワーク上に出力するものである（Ｓ４）。
【００３１】
また、図４（Ｂ）において、伝送処理手段２２は、デジタル化されたサウンドデータを構成する各個別データＳＤ０１〜ＳＤ２１（正規順）をデータ取得部４１において取得し（Ｓ１１）、ソート部４２に送出する。ソート部４２では、上述のように伝送順を定める設定値に応じて送出されてきた正規順の各個別データＳＤ０１〜ＳＤ２１を当該設定値に応じて抜き出し順を割り振り（図３（Ａ））、抜き出し順を伝送順として並べ換え（Ｓ１２、図３（Ｂ））、伝送情報付与部４３に送出する。
【００３２】
伝送情報付与部４３は、各個別データが伝送順に並べ換えられて一つのファイルとしたサウンドデータのヘッダに、上述のように少なくとも、伝送するサウンドデータの総データ数、各個別データが間引き状態の信号であること、初期間引きステップ数に比べて何段目の伝送であるかを示すフラグ情報を付与し（Ｓ１３）、バッファ４４に伝送順（図３（Ｂ））のアドレスで一時格納する（Ｓ１４）。そして、当該バッファ４４に格納された各個別データが順次伝送手段２３に送出されるものである。
【００３３】
続いて、図５に、図１の受信システムの処理フローチャートを示す。図５（Ａ）は、受信システム１３の全体の処理フローチャートであり、図５（Ｂ）は当該受信システム１３の備える上記一時記憶管理手段３７の処理フローチャートである。図５（Ａ）において、受信システム１３は、まず送信システム１２よりコンピュータネットワーク上に出力されて伝送された上記サウンドデータを構成する各個別データを入力データ処理手段３１における入力手段３４で順次入力する（Ｓ２１）。
【００３４】
入力された個別データは、一時記憶管理手段３５に送出され、ここで各個別データを入力される順番情報に従って当該サウンドデータファイルを構成する正規の順番の配置状態に対応させて展開され、一時記憶される（Ｓ２２、図５（Ｂ）で説明する）。この一時記憶管理手段３５で入力された個別データを順次一時記憶させている途中で、再生データ管理手段３２における再生制御手段３６に再生要求信号が入力されると（Ｓ２３）、この時点までの当該一時記憶管理手段３５に展開された各個別データを一時記憶手段（バッファ）３７に記憶させる（Ｓ２４）。例えば、上述のように１０個の個別データを入力した時点で再生要求があった場合に上記一時記憶手段３７には、図３（Ｃ）に示す状態で記憶される。
【００３５】
この状態で補間手段３８が、一時記憶手段３７において正規の順番で記憶している各個別データ間の抜けているデータを上述のように作成して補間し（図３（Ｄ））、全体として抜けのないデータとして再生手段３３に送出する（Ｓ２５）。一方、ステップ（Ｓ）２３において上記再生制御手段３６が再生要求信号を入力しない場合には、伝送されてくる総ての各個別データＳＤ０１〜ＳＤ２１が入力されて上記一時記憶管理手段３５に展開され次第、全個別データのサウンドデータを再生手段３３に送出する（Ｓ２６）。
【００３６】
そして、再生手段３３では、送出されてくる補間されたサウンドデータ、または補間されていない正規のデジタルのサウンドデータをアナログデータに変換し（Ｓ２７）、スピーカ等で再生するものである（Ｓ２８）。なお、再生手段３３は、スピーカ等で再生させずに外部機器に出力してもよい。また、デジタルのサウンドデータをアナログ変換せずに、デジタルのままのサウンドデータを外部機器に出力してもよい。
【００３７】
また、図５（Ｂ）において、上記入力データ処理手段３１における一時記憶管理手段３５の情報認識部５１が、入力されるサウンドデータファイルの総データ数、各個別データが間引き状態の信号であること、初期間引きステップ数に比べて何段目の伝送であるかを示すフラグ情報を認識し（Ｓ３１）、バッファ管理部５２が各個別データを認識したフラグ情報に従って、バッファ５３におけるメモリ領域の対応アドレスによる配置位置を定める（Ｓ３２）。そして、当該定めた配置位置のアドレスに対応の個別データを記憶させるものである（Ｓ３３）。
【００３８】
このように、総てのサウンドデータが入力されたときには完全なサウンドデータが再生されるが、入力途中でも、入力された個別データ分でサウンドデータを構成させて再生させることができる。換言すれば、途中再生しても、総てのサウンドデータが入力されれば元の完全なサウンドデータとなることから伝送に無駄を生じないものである。
【００３９】
すなわち、入力途中の再生は品質が低くなる（再生要求の時期が遅ければそれだけ品質が高くなる）が、再生可能なサウンドデータを随時確保することができ、情報量の多いサウンドデータを受信する者の受信における心理的負担を軽減させることができるものである。特に、サウンドデータのブラウジング、試聴、音カタログ提供などの必ずしも高品質なサウンドが要求されない状況において好適であり、その適用範囲は広いものである。
【００４０】
ところで、本発明は、上記送信システム１２の伝送手段２３からの伝送形態の影響を受けることはない。例えば、パケット伝送の形態であっても一つのパケットに上記伝送順番が並べ換えられた各個別データを載せればよく、パケット交換を既存のネットワークプロトコルに任せてしまえばよいものである。
【００４１】
次に、図６に、本発明における他の実施形態のブロック構成図を示す。図６（Ａ）に示す音データ送受信システム６１は、データ伝送媒体としてのコンピュータネットワーク６２に、送信システムの一部を構成するであるサーバ６３及び所定数のクライアント（端末）６４Ａ〜６４Ｎが接続されたもので、サーバ６３にはデータベース管理手段６５及びサウンドデータベース（ＤＢ）６６が設けられると共に、伝送処理手段６７及び設定部６８が設けられて送信システムを構成する。なお、データベース管理手段６５、伝送処理手段６７、設定部６８を適宜サーバ６３に具備させた構成としてもよい。
【００４２】
上記サーバ６３は、コンピュータネットワーク６２を介してクライアントからの要求に対して所定の処理をし、要求されたデータを出力する伝送手段を備えている。上記各クライアント６４Ａ〜６４Ｎは、上記図１に示す受信システム１３を少なくとも備えている。また、上記データベース管理手段６５はサウンドＤＢ６６に対するアクセスを管理するもので、不正アクセスにも対処する。サウンドＤＢ６６は、種々のサウンドデータを所定数格納されたもので、図６（Ｂ）に示すように、所定のアナログサウンドデータがＡ／Ｄ変換手段７１でデジタルサウンドデータに変換されて（図８参照）、逐次データベース管理手段６５を介して格納したものである。
【００４３】
そこで、図７に、図６における音データ送受信システムの処理フローチャートを示す。図７（Ａ）はサウンドＤＢ６６に格納するサウンドデータ作成のフローチャートであり、図７（Ｂ）は送信システムにおけるデータ交換のフローチャートである。図７（Ａ）において、まず、Ａ／Ｄ変換部７１において入力されるアナログのサウンドデータを上述のようにデジタルのサウンドデータに変換していき（Ｓ４１）、総てのデータ変換が終了したときに（Ｓ４２）、デジタルのサウンドデータを構成する各個別データ（ＳＤ０１〜ＳＤ２１）をデータベース管理手段６５に送出し、サウンドＤＢ６６に格納するもので（Ｓ４３）、所望のサウンドデータを順次格納するものである。
【００４４】
そこで、図７（Ｂ）において、コンピュータネットワーク６２に接続されたクライアント６４（６４Ａ〜６４Ｎ）の何れかから所定のサウンドデータが要求されると（Ｓ５１）、サーバ６３は該当のサウンドデータを、データベース管理手段６５を介してサウンドＤＢ６６を読み出しにいき、当該要求サウンドデータを取得する（Ｓ５３）。取得したサウンドデータ（各個別データ）は伝送処理手段６７に送出され、この伝送処理手段６７において上述のように設定部６８での設定に基づき送出されてきた正規順の各個別データ（ＳＤ０１〜ＳＤ２１）を当該設定値に応じて抜き出して伝送順に並べ換える（Ｓ５３、図２（Ａ）参照）。
【００４５】
また、各個別データが伝送順に並べ換えられて一つのファイルとしたサウンドデータのヘッダに、上述のように少なくとも、伝送するサウンドデータの総データ数、各個別データが間引き状態の信号であること、初期間引きステップ数に比べて何段目の伝送であるかを示すフラグ情報を付与し（Ｓ５４）、バッファに伝送順（図３（Ｂ））のアドレスで一時格納する（Ｓ５５、図２（Ａ）参照）。そして、伝送手段により、伝送順の各個別データ（ＳＤ０１〜ＳＤ２１）を順次コンピュータネットワーク６２上の対応クライアントに出力するものである（Ｓ６）。
【００４６】
このようにサウンドＤＢ６６を使用することによっても、上記同様の効果を奏することができるものである。また、この場合においても、上述のようにパケット伝送にも適用することができるものである。
【００４７】
【発明の効果】
以上のように、本発明によれば、受信システムにおいて、デジタルの音データを構成する各個別データを所定間隔毎に抜き出した順番の各個別データが順次伝送されてきた各個別データを順次入力した上記個別データを、順番情報に従って上記音データを構成する正規の順番に対応させて一時記憶し、入力途中の要求に応じて各個別データ間の抜けた部分にデータを補間して再生又は出力させることにより、総ての音データが入力されたときには完全な音データを再生させるが、入力途中でも、入力された個別データ分で音データを構成させて再生させることができ、情報量の多い音データを受信する者の受信における心理的負担を軽減させることができるものである。
【図面の簡単な説明】
【図１】本発明における音データ送受信システムのブロック構成図である。
【図２】図１の伝送処理手段及び一時記憶管理手段のブロック構成図である。
【図３】本発明における音データのデータ構成の説明図である。
【図４】図１の送信システムの処理フローチャートである。
【図５】図１の受信システムの処理フローチャートである。
【図６】本発明における他の実施形態のブロック構成図である。
【図７】図６における音データ送受信システムの処理フローチャートである。
【図８】従来の音データ送受信の説明図である。
【符号の説明】
１１，６１            音データ送受信システム
１２                  送信システム
１３                  受信システム
２２，６７            伝送処理手段
３１                  入力データ処理手段
３２                  再生データ管理手段
３５                  一時記憶管理手段
３６                  再生制御手段
３８                  補間手段
４２                  ソート部
４３                  伝送情報付与部
６２                  コンピュータネットワーク
６３                  サーバ
６４                  クライアント
６５                  データベース管理手段
６６                  サウンドデータベース（ＤＢ）
【図１】
0004554764.tif 000002
【図２】
0004554764.tif 000003
【図３】
0004554764.tif 000004
【図４】
0004554764.tif 000005
【図５】
0004554764.tif 000006
【図６】
0004554764.tif 000007
【図７】
0004554764.tif 000008
【図８】
0004554764.tif 000009